(57)【特許請求の範囲】
【請求項１】
地図を表示する表示部と、
前記表示部に表示されている地図をスクロールするスクロール部と、
前記表示部に表示されているスクロールされた地図中に基準地点が存在するか否かを判定する表示判定部と、
前記基準地点が存在しないと判定された場合、前記表示部に表示されていない地図中に存在する基準地点からスクロールされた地点であるスクロール地点までの向きを判断する向き判断部と、
前記表示部に表示されているスクロールされた地図中の図形に対して、前記判断された向きに対応する向きに影を付与する影付加部と、
を備えることを特徴とする地図表示装置。
【請求項２】
前記基準地点から前記スクロール地点までの直線距離を算出する距離算出部を更に備え、
前記影付加部は、前記直線距離に対応した長さで前記影を付加することを特徴とする請求項１に記載の地図表示装置。
【請求項３】
前記基準地点から前記スクロール地点までの直線距離を算出する距離算出部を更に備え、
前記影付加部は、前記直線距離に対応した色彩で前記影を付加することを特徴とする請求項１に記載の地図表示装置。
【請求項４】
前記基準地点から前記スクロール地点までの直線距離を算出する距離算出部を更に備え、
前記影付加部は、前記直線距離に対応した濃淡で前記影を付加することを特徴とする請求項１に記載の地図表示装置。
【請求項５】
表示部、スクロール部、表示判定部、向き判断部、影付加部を備える地図表示装置が実行する地図表示方法であって、
前記表示部が地図を表示するステップと、
前記スクロール部が前記表示部に表示されている地図をスクロールするステップと、
前記表示判定部が前記表示部に表示されているスクロールされた地図中に基準地点が存在するか否かを判定するステップと、
前記基準地点が存在しないと判定された場合、前記向き判断部が前記表示部に表示されていない地図中に存在する基準地点からスクロールされた地点であるスクロール地点までの向きを判断するステップと、
前記影付加部が前記表示部に表示されているスクロールされた地図中の図形に対して、前記判断された向きに対応する向きに影を付与するステップと、
を含むことを特徴とする地図表示方法。
【請求項６】
表示部が地図を表示する手順と、
前記表示部に表示されている地図をスクロールする手順と、
前記表示部に表示されているスクロールされた地図中に基準地点が存在するか否かを判定する手順と、
前記基準地点が存在しないと判定された場合、前記表示部に表示されていない地図中に存在する基準地点からスクロールされた地点であるスクロール地点までの向きを判断する手順と、
前記表示部に表示されているスクロールされた地図中の図形に対して、前記判断された向きに対応する向きに影を付与する手順と、
をコンピュータに実行させることを特徴とする地図表示プログラム。
【発明の詳細な説明】
【技術分野】
【０００１】
本発明は、地図表示装置、地図表示方法及び地図表示プログラムに関する。
【背景技術】
【０００２】
従来、カーナビゲーション端末や、ＰＮＤ（Personal Navigation Device）等の簡易型カーナビゲーション装置、携帯電話端末等の地図を表示する地図表示装置が知られている。
【０００３】
このような地図表示装置において、表示部に自車位置等の基準地点が表示されているとき、目的地を探すために地図をスクロールし、スクロールされた地図中に基準地点が表示されなくなると、スクロールされた地図を見ただけではスクロール地点が基準地点に対してどの向きにあるのかを把握することができなくなる。
【０００４】
これに対して、表示部に表示されているスクロールされた地図上に基準地点からスクロール地点までの向きを線や矢印で表示する方法が知られている（例えば、特許文献１参照。）しかしながら、この表示方法では、基準地点からスクロール地点までの向きを直感的に把握することが困難である。
【先行技術文献】
【特許文献】
【０００５】
【特許文献１】特開２００９−３１０３０号公報
【発明の概要】
【発明が解決しようとする課題】
【０００６】
上記問題点を鑑み、本発明の目的は、表示部の画面に表示されていない基準地点に対するスクロール地点の向きを直感的に把握することができる地図表示装置、地図表示方法及び地図表示プログラムを提供することである。
【課題を解決するための手段】
【０００７】
本発明の一態様によれば、地図を表示する表示部（４）と、表示部（４）に表示されている地図をスクロールするスクロール部（１１）と、表示部（４）に表示されているスクロールされた地図中に基準地点（Ｐ０）が存在するか否かを判定する表示判定部（１２）と、基準地点（Ｐ０）が存在しないと判定された場合、表示部（４）に表示されていない地図中に存在する基準地点（Ｐ０）からスクロールされた地点であるスクロール地点（Ｐ１〜Ｐ５）までの向き（Ｄ１〜Ｄ３）を判断する向き判断部（１３）と、表示部（４）に表示されているスクロールされた地図中の図形（１０１〜１０５）に対して、判断された向き（Ｄ１〜Ｄ３）に対応する向きに影（２０１〜２０５）を付与する影付加部（１５）とを備える地図表示装置が提供される。
【０００８】
本発明の一態様において、基準地点（Ｐ０）からスクロール地点（Ｐ１〜Ｐ５）までの直線距離を算出する距離算出部（１４）を更に備え、影付加部（１５）は、直線距離に対応した長さの影（２０１〜２０５）を付加しても良い。
【０００９】
本発明の一態様において、基準地点（Ｐ０）からスクロール地点（Ｐ１〜Ｐ５）までの直線距離を算出する距離算出部（１４）を更に備え、影付加部（１５）は、直線距離に対応した色彩の影（２０１〜２０５）を付加しても良い。
【００１０】
本発明の一態様において、基準地点（Ｐ０）からスクロール地点（Ｐ１〜Ｐ５）までの直線距離を算出する距離算出部（１４）を更に備え、影付加部（１５）は、直線距離に対応した濃淡の影（２０１〜２０５）を付加しても良い。
【００１１】
本発明の他の態様によれば、表示部（４）、スクロール部（１１）、表示判定部（１２）、向き判断部（１３）、影付加部（１５）を備える地図表示装置が実行する地図表示方法であって、表示部（４）が地図を表示するステップと、スクロール部（１１）が表示部（４）に表示されている地図をスクロールするステップと、表示判定部（１２）が表示部（４）に表示されているスクロールされた地図中に基準地点（Ｐ０）が存在するか否かを判定するステップと、基準地点（Ｐ０）が存在しないと判定された場合、向き判断部（１３）が表示部（４）に表示されていない地図中に存在する基準地点（Ｐ０）からスクロールされた地点であるスクロール地点（Ｐ１〜Ｐ５）までの向き（Ｄ１〜Ｄ３）を判断するステップと、影付加部（１５）が表示部（４）に表示されているスクロールされた地図中の図形（１０１〜１０５）に対して、判断された向き（Ｄ１〜Ｄ３）に対応する向きに影（２０１〜２０５）を付与するステップとを含む地図表示方法が提供される。
【００１２】
本発明の更に他の態様によれば、表示部（４）が地図を表示する手順と、表示部（４）に表示されている地図をスクロールする手順と、表示部（４）に表示されているスクロールされた地図中に基準地点（Ｐ０）が存在するか判定する手順と、基準地点（Ｐ０）が存在しないと判定された場合、表示部（４）に表示されていない地図中に存在する基準地点（Ｐ０）からスクロールされた地点であるスクロール地点（Ｐ１〜Ｐ５）までの向き（Ｄ１〜Ｄ３）を判断する手順と、表示部（４）に表示されているスクロールされた地図中の図形（１０１〜１０５）に対して、判断された向き（Ｄ１〜Ｄ３）に対応する向きに影（２０１〜２０５）を付与する手順とをコンピュータに実行させる地図表示プログラムが提供される。
【発明の効果】
【００１３】
本発明によれば、表示部の画面に表示されていない基準地点に対するスクロール地点の向きを直感的に把握することができる地図表示装置、地図表示方法及び地図表示プログラムを提供することができる。
【図面の簡単な説明】
【００１４】
【図１】本発明の実施の形態に係る地図表示装置の一例を示すブロック図である。
【図２】本発明の実施の形態に係る地図表示装置で表示される地図の一例を示す概略図である。
【図３】本発明の実施の形態に係る長さ情報の一例を示す表である。
【図４】本発明の実施の形態に係る向き情報の一例を示す表である。
【図５】本発明の実施の形態に係る向き情報の一例を示す概略図である。
【図６】本発明の実施の形態に係る表示部の画面に表示された画像の一例を示す画像図（その１）である。
【図７】本発明の実施の形態に係る表示部の画面に表示された画像の一例を示す画像図（その２）である。
【図８】本発明の実施の形態に係る表示部の画面に表示された画像の一例を示す画像図（その３）である。
【図９】本発明の実施の形態に係る表示部の画面に表示された画像の一例を示す画像図（その４）である。
【図１０】本発明の実施の形態に係る表示部の画面に表示された画像の一例を示す画像図（その５）である。
【図１１】本発明の実施の形態に係る地図表示方法の一例を説明するためのフローチャートである。
【図１２】本発明の実施の形態の第１の変形例に係る地図表示装置の一例を示すブロック図である。
【図１３】本発明の実施の形態の第２の変形例に係る地図表示装置の一例を示すブロック図である。
【発明を実施するための形態】
【００１５】
次に、図面を参照して、本発明の実施の形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。又、図面相互間においても互いの寸法の関係や比率が異なる部分が表示されていることはもちろんである。また、以下に示す実施の形態は、この発明の技術的思想を具体化するための装置や方法を例示するものであって、この発明の技術的思想は、構成部品の材質、形状、構造、配置等を下記のものに特定するものでない。この発明の技術的思想は、特許請求の範囲において、種々の変更を加えることができる。
【００１６】
（地図表示装置）
本発明の実施の形態に係る地図表示装置は、図１に示すように、中央演算処理装置（ＣＰＵ）１、記憶装置２、入力部３及び表示部４を備える。
【００１７】
入力部３としては、例えばキーボード、マウス、表示部４の画面に表示されるタッチパネル、又はマイク等の音声入力装置等が使用可能である。入力部３は、使用者からのスクロールするための指示等の種々の指示を受け付ける。
【００１８】
表示部４としては、例えば液晶ディスプレイ（ＬＣＤ）等が使用可能であり、例えば地図を表示する画面を有する。表示部４に表示される地図では、建物、信号機及び道路等がテクスチャマッピングを用いたテクスチャ等の図形で表現される。
【００１９】
記憶装置２としては、例えば半導体メモリ、磁気ディスク又は光ディスク等が使用可能である。記憶装置２は、地図データ記憶部２１、基準地点記憶部２２、向き情報記憶部２３及び長さ情報記憶部２４を備える。
【００２０】
地図データ記憶部２１は、表示部４で表示される地図に関する位置座標や距離等の地図データを記憶する。
【００２１】
基準地点記憶部２２は基準地点を記憶する。基準地点は、例えば使用者の現在位置（カーナビの場合は自車位置）や目的地等であり、適宜設定可能である。基準地点は、基準地点記憶部２２に予め記憶されていても良く、入力部３を介して入力されても良く、又は全地球測位システム（ＧＰＳ）等の測位技術を用いて受信されても良い。
【００２２】
向き情報記憶部２３は、基準地点からスクロール地点までの向きと、表示部４に表示されているスクロールされた地図中の図形に付加される影の向きとの対応関係を向き情報として記憶する。スクロール地点は例えば表示部４の画面の中央部に設定可能である。
【００２３】
向き情報では、例えば図２に示すように、基準地点からスクロール地点までの向きが「上」、「右上」、「右」、「右下」、「下」、「左下」、「左」、「左上」の９つに区分けされている。これらの向きについて、図形に付加される影の向きが「上」、「右上」、「右」、「右下」、「下」、「左下」、「左」、「左上」と対応付けされている。
【００２４】
また、図３は、図２に示した基準地点からスクロール地点までの向きを矢印で示したものである。矢印のそれぞれの先端に示された「上」、「右上」、「右」、「右下」、「下」、「左下」、「左」、「左上」の向きが、対応付けされた図形に付加される影の向きである。
【００２５】
図２及び図３では、基準地点からスクロール地点までの向きと、表示部４に表示されているスクロールされた地図中の図形に付加される影の向きが同じ向きとなるように対応付けている。
【００２６】
図１に示した長さ情報記憶部２４は、基準地点からスクロール地点までの直線距離と、表示部４の画面に表示されているスクロールされた地図中の図形に付加される影の長さとの対応関係を長さ情報として記憶する。
【００２７】
長さ情報では、例えば図４に示すように、基準地点からスクロール地点までの直線距離が「１０ｍ」、「１００ｍ」、「５００ｍ」、「１ｋｍ」の場合に、図形に付加される影の長さとして「１ｍ」、「１０ｍ」、「５０ｍ」、「１００ｍｍ」がそれぞれ対応付けされている。ここでは、基準地点からスクロール地点までの直線距離が長いほど図形に付加される影の長さが長く設定されている。
【００２８】
なお、これとは逆に、基準地点からスクロール地点までの直線距離が長いほど図形に付加される影の長さが短く設定されていても良い。また、基準地点からスクロール地点までの直線距離を「１０ｍ以上１００ｍ未満」、「１００ｍ以上５００ｍ未満」、「５００ｍ以上１ｋｍ未満」、「１ｋｍ以上」のように範囲で区分けし、それぞれの場合に、図形に付加される影の長さとして「１ｍ」、「１０ｍ」、「５０ｍ」、「１００ｍｍ」を対応付けしても良い。
【００２９】
図１に示したＣＰＵ１は、スクロール部１１、表示判定部１２、向き判断部１３、距離算出部１４及び影付加部１５を備える。
【００３０】
スクロール部１１は、入力部３を介して入力された指示等に応じて、表示部４の画面に表示されている地図をスクロールする。
【００３１】
表示判定部１２は、表示部４の画面に表示されているスクロールされた地図中に基準地点が存在するか否かを判定する。なお、表示判定部１２は、表示部４の画面に表示されている地図がスクロールされたか否か判定し、スクロールされたと判定された場合に、表示部４の画面に表示されているスクロールされた地図中に基準地点が存在するか否かを判定しても良い。
【００３２】
向き判断部１３は、地図データ記憶部２１から読み出した地図データに基づいて、基準地点からスクロール地点までの向きを判断する。例えば、図５に示すように、地図上の任意の地点からスクロール地点Ｐ１〜Ｐ５にそれぞれスクロールした場合、基準地点Ｐ０からスクロール地点Ｐ１，Ｐ２までの向きＤ１、基準地点Ｐ０からスクロール地点Ｐ３までの向きＤ２、基準地点Ｐ０からスクロール地点Ｐ４，Ｐ５までの向きＤ３はそれぞれ、右向き、上向き、左下向きと判断される。
【００３３】
距離算出部１４は、地図データ記憶部２１から読み出した地図データに基づいて、基準地点Ｐ０からスクロール地点Ｐ１〜Ｐ５までの直線距離をそれぞれ算出する。
【００３４】
影付加部１５は、向き情報記憶部２３から読み出した向き情報を参照し、向き判断部１３により判断された基準地点Ｐ０からスクロール地点Ｐ１〜Ｐ５までの向きＤ１〜Ｄ３に対応する、図形に付加する影の向きをそれぞれ抽出する。
【００３５】
更に、影付加部１５は、長さ情報記憶部２４から読み出した長さ情報を参照し、距離算出部１４により算出された基準地点Ｐ０からスクロール地点Ｐ１〜Ｐ５までの直線距離に対応する、図形に付加する影の長さをそれぞれ抽出する。
【００３６】
更に、影付加部１５は、スクロール地点Ｐ１〜Ｐ５毎に、図６〜図１０に示すように、表示部４の画面に表示されているスクロールされた地図中の建物を表す図形１０１〜１０５に対して、抽出した向き及び長さの影２０１〜２０５をそれぞれ付加する。
【００３７】
スクロール地点Ｐ１，Ｐ２にそれぞれスクロールした場合には、図６及び図７にそれぞれ示すように、図形（建物）１０１，１０２に対して、例えばいずれもその右向きに、１ｍ、１００ｍの長さの影２０１，２０２をそれぞれ付加される。また、スクロール地点Ｐ３にスクロールした場合には、図８に示すように、図形（建物）１０３に対して、その上向きに５０ｍの長さの影２０３が付加される。また、スクロール地点Ｐ４，Ｐ５にスクロールした場合には、図９及び図１０にそれぞれ示すように、図形（建物）１０４，１０５に対して、いずれもその左下向きに１０ｍ、５０ｍの長さの影２０４，２０５がそれぞれ付加される。
【００３８】
（地図表示方法）
次に、本発明の実施の形態に係る地図表示方法の一例を、図１１のフローチャートを参照しながら説明する。
【００３９】
（イ）ステップＳ１において、表示部４の画面に地図を表示する。スクロール部１１は、入力部３を介して入力された指示等に応じて、表示部４の画面に表示されている地図をスクロールする。
【００４０】
（ロ）ステップＳ２において、表示判定部１２は、表示部４の画面に表示されているスクロールされた地図中に基準地点Ｐ０が存在するか否かを判定する。基準地点Ｐ０が存在しないと判定された場合、ステップＳ３に進む。一方、基準地点Ｐ０が存在すると判定された場合、処理を完了する。
【００４１】
（ハ）ステップＳ３において、向き判断部１３は、地図データ記憶部２１から読み出した地図データに基づいて、基準地点Ｐ０からスクロール地点（ここではスクロール地点Ｐ１とする。）までの向きＤ１を判断する。
【００４２】
（ニ）ステップＳ４において、距離算出部１４は、地図データ記憶部２１から読み出した地図データに基づいて、基準地点Ｐ０からスクロール地点Ｐ１までの直線距離を算出する。
【００４３】
（ホ）ステップＳ５において、影付加部１５は、図６に示すように、表示部４の画面に表示されているスクロールされた地図中の図形１０１に対して、向き判断部１３により判断された基準地点Ｐ０からスクロール地点Ｐ１までの向きＤ１に対応した向きで、且つ距離算出部１４により算出された基準地点Ｐ０からスクロール地点Ｐ１までの直線距離に対応した長さの影２０１を付加する。
【００４４】
以上説明したように、本発明の実施の形態に係る地図表示装置及び地図表示方法によれば、図形１０１〜１０５に対して、基準地点Ｐ０からスクロール地点Ｐ１〜Ｐ５までの向きＤ１〜Ｄ３に対応した向きに影２０１〜２０５を付加することにより、表示部４の画面に表示されているスクロールされた地図中に基準地点Ｐ０が存在しない場合であっても、基準地点Ｐ０からスクロール地点Ｐ１〜Ｐ５までの向きＤ１〜Ｄ３を直感的に把握することができる。
【００４５】
更に、基準地点Ｐ０からスクロール地点Ｐ１〜Ｐ５までの直線距離に対応した長さで図形１０１〜１０５に影２０１〜２０５を付加することにより、表示部４の画面に表示されているスクロールされた地図中に基準地点Ｐ０が存在しない場合であっても、基準地点Ｐ０からスクロール地点Ｐ１〜Ｐ５までの直線距離を直感的に把握することができる。
【００４６】
よって、基準地点Ｐ０とスクロール地点Ｐ１〜Ｐ５のそれぞれが表示部４の画面に同時に表示されるように地図スケールに変更しなくても、基準地点Ｐ０からスクロール地点Ｐ１〜Ｐ５までの向きＤ１〜Ｄ３及び直線距離を容易且つ直感的に把握することができる。
【００４７】
（プログラム）
図１１に示した地図表示方法の一連の手順、即ち：表示部４が地図を表示するステップ；スクロール部１１が、表示部４の画面に表示されている地図をスクロールするステップ；表示判定部１２が、表示部４の画面に表示されているスクロールされた地図中に基準地点Ｐ０が存在するか判定するステップ；基準地点Ｐ０が存在しないと判定された場合、向き判断部１３が、基準地点Ｐ０からスクロール地点Ｐ１〜Ｐ５までの向きＤ１〜Ｄ３を判断するステップ；及び影付加部１５が、表示部４の画面に表示されているスクロールされた地図中の図形１０１〜１０５に対して、判断された向きＤ１〜Ｄ３に対応する向きに影２０１〜２０５を付与するステップ等は、図１１と等価なアルゴリズムのプログラムにより、地図表示装置のコンピュータを制御して実行することができる。
【００４８】
このプログラムは例えば記憶装置２に記憶されていてコンピュータに読み出されても良く、通信ネットワークを介して伝送されてコンピュータに取り込まれても良い。また、このプログラムは、コンピュータ読取り可能な記録媒体に保存し、この記録媒体を記憶装置２に読み込ませることにより、本発明の実施の形態に係る地図表示方法の一連の手順を実行することができる。
【００４９】
（第１の変形例）
本発明の実施の形態の第１の変形例に係る地図表示装置は、図１２に示すように、図１に示した長さ情報記憶部２４の代わりに、基準地点Ｐ０からスクロール地点Ｐ１〜Ｐ５までの直線距離と、図形１０１〜１０５に付与する影２０１〜２０５の色彩との対応関係を色彩情報として有する色彩情報記憶部２５を備えている点が、図１に示した地図表示装置と異なる。
【００５０】
影付加部１５が、色彩情報記憶部２５に記憶された色彩情報を参照して、基準地点Ｐ０からスクロール地点Ｐ１〜Ｐ５までの直線距離に対応した色彩の影２０１〜２０５を一定の長さで付加する。
【００５１】
本発明の実施の形態の第１の変形例によれば、基準地点Ｐ０からスクロール地点Ｐ１〜Ｐ５までの直線距離に対応した色彩で図形１０１〜１０５に影２０１〜２０５を付加することにより、表示部４の画面に表示されているスクロールされた地図中に基準地点Ｐ０が存在しない場合であっても、基準地点Ｐ０からスクロール地点Ｐ１〜Ｐ５までの直線距離を直感的に把握することができる。特に、図形１０１〜１０５が密集しているスクロール地点Ｐ１〜Ｐ５で、影２０１〜２０５の長さを調整する場合よりも見やすい場合があり有効である。
【００５２】
（第２の変形例）
本発明の実施の形態の第２の変形例に係る地図表示装置は、図１３に示すように、図１に示した長さ情報記憶部２４の代わりに、基準地点Ｐ０からスクロール地点Ｐ１〜Ｐ５までの直線距離と、図形１０１〜１０５に付与する影２０１〜２０５の濃淡との対応関係を濃淡情報として有する濃淡情報記憶部２６を備えている点が、図１に示した地図表示装置と異なる。
【００５３】
影付加部１５が、濃淡情報記憶部２６に記憶された濃淡情報を参照して、基準地点Ｐ０からスクロール地点Ｐ１〜Ｐ５までの直線距離に対応した濃淡の影２０１〜２０５を一定の長さで付加する。例えば、基準地点Ｐ０からスクロール地点Ｐ１〜Ｐ５までの直線距離が長いほど濃い影２０１〜２０５を付加する。
【００５４】
本発明の実施の形態の第２の変形例によれば、基準地点Ｐ０からスクロール地点Ｐ１〜Ｐ５までの直線距離に対応した濃淡で図形１０１〜１０５に影２０１〜２０５を付加することにより、表示部４の画面に表示されているスクロールされた地図中に基準地点Ｐ０が存在しない場合であっても、基準地点Ｐ０からスクロール地点Ｐ１〜Ｐ５までの直線距離を直感的に把握することができる。特に、図形１０１〜１０５が密集しているスクロール地点Ｐ１〜Ｐ５で、影２０１〜２０５の長さを調整する場合よりも見やすい場合があり有効である。
【００５５】
（その他の実施の形態）
上記のように、本発明は実施の形態によって記載したが、この開示の一部をなす論述及び図面はこの発明を限定するものであると理解すべきではない。この開示から当業者には様々な代替実施の形態、実施例及び運用技術が明らかとなろう。
【００５６】
たとえば、本発明の実施の形態において、影付加部１５が、建物の表す図形１０１〜１０５に影２０１〜２０５を付加する場合を説明したが、影を付与する対象とする図形は建物に限定されない。例えば、建物とは異なる信号機等の立体物を表す図形に影を付加しても良いし、道路等の平面的な図形の輪郭に対して模式的に影を付加しても良い。また、表示部４の画面に表示されている全ての図形に影を付加しても良いし、地図データに基づいて特定の種類の図形を判別し、判別した特定の種類の図形のみに影を付加しても良い。
【００５７】
また、本発明の実施の形態において、影付加部１５が、距離算出部１４により算出された基準地点Ｐ０からスクロール地点Ｐ１〜Ｐ５までの直線距離に対応した長さの影２０１〜２０５を付加する場合を説明したが、基準地点Ｐ０からスクロール地点Ｐ１〜Ｐ５までの直線距離に関わらず、記憶装置２に予め記憶された所定の長さ、所定の色彩及び所定の濃淡の少なくともいずれか又はそれらを組み合わせて影を付加しても良い。
【００５８】
このように、本発明はここでは記載していない様々な実施の形態等を含むことは勿論である。したがって、本発明の技術的範囲は上記の説明から妥当な特許請求の範囲に係る発明特定事項によってのみ定められるものである。
【符号の説明】
【００５９】
１…中央演算処理装置（ＣＰＵ）
２…記憶装置
３…入力部
４…表示部
１１…スクロール部
１２…表示判定部
１３…向き判断部
１４…距離算出部
１５…影付加部
２１…地図データ記憶部
２２…基準地点記憶部
２３…向き情報記憶部
２４…長さ情報記憶部
２５…色彩情報記憶部
２６…濃淡情報記憶部
【図１】
0005834967.tif 000002
【図２】
0005834967.tif 000003
【図３】
0005834967.tif 000004
【図４】
0005834967.tif 000005
【図５】
0005834967.tif 000006
【図６】
0005834967.tif 000007
【図７】
0005834967.tif 000008
【図８】
0005834967.tif 000009
【図９】
0005834967.tif 000010
【図１０】
0005834967.tif 000011
【図１１】
0005834967.tif 000012
【図１２】
0005834967.tif 000013
【図１３】
0005834967.tif 000014